(57)【特許請求の範囲】
【請求項１】
車載熱源の冷却水を利用した車両用温水床暖房装置において、
放熱面に設定される温水流路又は温水貯蔵容器の領域容積が異なる２つ以上の異なった放熱領域を備え、２つ以上の異なった放熱領域を水流的に直列に配列し、かつ、領域容積が大きい第１放熱領域を、領域容積が小さい第２放熱領域の下流位置に設けると共に、
前記第１放熱領域は、足の裏を置くフロア水平部に設定し、
前記第２放熱領域は、ふくらはぎの後方又は大腿の下方に位置するシート下側のフロア鉛直面あるいはフロア傾斜面に設定したことを特徴とする車両用温水床暖房装置。
【請求項２】
請求項１に記載された車両用温水床暖房装置において、
前記下流の第１放熱領域の領域容積は、前記上流の第２放熱領域の領域容積に対し、２倍以上の領域容積比に設定したことを特徴とする車両用温水床暖房装置。
【請求項３】
請求項１又は請求項２に記載された車両用温水床暖房装置において、
前記２つ以上の異なった放熱領域は、蛇行する放熱管により構成され、
前記下流の第１放熱領域における放熱管の流水路断面積を、上流の第２放熱領域における放熱管の流水路断面積よりも大きく設定したことを特徴とする車両用温水床暖房装置。
【請求項４】
請求項１乃至請求項３の何れか１項に記載された車両用温水床暖房装置において、
前記２つ以上の異なった放熱領域は、車載熱源からの温水輸送管を兼用すると共に蛇行する同一内径の共通放熱管により構成され、
前記下流の第１放熱領域における共通放熱管に側路を設け、
前記下流の第１放熱領域における共通放熱管と側路の総流水路断面積を、上流の第２放熱領域における共通放熱管の流水路断面積よりも大きく設定したことを特徴とする車両用温水床暖房装置。
【発明の詳細な説明】
【技術分野】
【０００１】
本発明は、エンジン冷却水等の車載熱源の冷却水を利用した車両用温水床暖房装置に関する。
【背景技術】
【０００２】
エンジン冷却水を利用した車両用床暖房装置としては、自動車のエンジン冷却水の配管におけるエンジンからラジエータへの還流配管を、熱交換器の一次側に接続し、当該熱交換器の二次配管を、ポンプを介して、車室の床面にジグザグに配置された暖房管に接続するものが知られている（例えば、特許文献１参照）。
【特許文献１】実開平5-54018号公報
【発明の開示】
【発明が解決しようとする課題】
【０００３】
しかしながら、従来の車両用温水床暖房装置にあっては、エンジン冷却水と熱交換した温水を車室床面にジグザグに配置した暖房管に導き、温水の熱によって床面を温めるものであり、温度調節機構として電磁弁による温水遮断装置が付加されている。しかし、このような温水の連通・遮断を切り替える温度調節機構だけでは、エンジン冷却水の温度が上昇したときの即暖効果やエンジン冷却水の温度が低下したときの保温効果を得ることができない、という問題があった。
【０００４】
すなわち、温水遮断から温水連通に切り替えると床面温度が急激に上昇し、逆に、温水連通から温水遮断に切り替えると床面温度が急激に下降する。さらに、温水連通状態のままでの床面温度変化特性は、エンジン冷却水の温度変化に対しシステムにより決まる温度感度にて追従する一義的な特性となる。
【０００５】
本発明は、上記問題に着目してなされたもので、車載熱源の冷却水温度が上昇したときの即暖効果と車載熱源の冷却水温度が低下したときの保温効果を併せて達成することができる車両用温水床暖房装置を提供することを目的とする。
【課題を解決するための手段】
【０００６】
上記目的を達成するため、本発明では、車載熱源の冷却水を利用した車両用温水床暖房装置において、放熱面に設定される温水流路又は温水貯蔵容器の領域容積が異なる２つ以上の異なった放熱領域を備えている。そして、２つ以上の異なった放熱領域を水流的に直列に配列し、かつ、領域容積が大きい第１放熱領域を、領域容積が小さい第２放熱領域の下流位置に設けている。
さらに、前記第１放熱領域は、足の裏を置くフロア水平部に設定する。前記第２放熱領域は、ふくらはぎの後方又は大腿の下方に位置するシート下側のフロア鉛直面あるいはフロア傾斜面に設定する。
【発明の効果】
【０００７】
よって、本発明の車両用温水床暖房装置にあっては、領域容積が大きい放熱領域における温水流路又は温水貯蔵容器内部の温水の循環が、領域容積の小さい放熱領域の温水の循環に比べて遅くなる。従って、領域容積が大きい放熱領域の熱移動量は、領域容積の小さい放熱領域よりも小さくなるため、相対的に暖まりにくく冷えにくくなる。反対に、領域容積の小さい放熱領域は、相対的に温まりやすく冷えやすくなる。
このように、熱的特性の異なる２つ以上の放熱領域を設定し、領域容積の小さい放熱領域を、車載熱源に近い上流側に配置し、領域容積の大きい放熱領域を、車載熱源から遠い下流側に設ける。この熱的特性の異なる２つ以上の放熱領域の配置設定により、領域容積の小さい放熱領域には、車載熱源の冷却水温度が上昇したときに応答良く温度上昇する即暖効果が与えられる。また、領域容積が大きい放熱領域には、車載熱源の冷却水温度が低下したときに温度低下を抑える保温効果が与えられる。
この結果、車載熱源の冷却水温度が上昇したときの即暖効果と車載熱源の冷却水温度が低下したときの保温効果を併せて達成することができる。
【発明を実施するための最良の形態】
【０００８】
以下、本発明の車両用温水床暖房装置を実現する最良の形態を、図面に示す実施例１及び実施例２に基づいて説明する。
【実施例１】
【０００９】
まず、構成を説明する。
図１は実施例１の車両用温水床暖房装置を示す側面図である。図２は実施例１の車両用温水床暖房装置を示す平面図である。
【００１０】
実施例１の車両用温水床暖房装置はエンジン車に適用したもので、図１及び図２に示すように、フロア１と、シートクッション２と、エンジン３（車載熱源）と、温水輸送管４と、第１放熱管５と、第２放熱管６と、第１放熱領域７（領域容積が大きい放熱領域）と、第２放熱領域８（領域容積が小さい放熱領域）と、電熱体１１と、を備えている。
【００１１】
実施例１の車両用温水床暖房装置は、エンジン３を車載熱源とするエンジン冷却水（温水）を利用したもので、図２に示すように、放熱面に設定される温水流路の領域容積が異なる第１放熱領域７と第２放熱領域８を備えている。そして、２つの異なった第１放熱領域７と第２放熱領域８を水流的に直列に配列し、かつ、領域容積が大きい第１放熱領域７を、領域容積が小さい第２放熱領域８の下流位置に設けている。
ここで、「領域容積」とは、温水循環による熱移動量を決める容積をいい、領域容積が大きいほど、温水の循環が遅く、熱移動量は小さくなる。
【００１２】
前記下流の第１放熱領域７の領域容積は、前記上流の第２放熱領域８の領域容積に対して、２倍以上の領域容積比に設定している。これは、領域容積が大きいほど温度変化を小さく抑えることができるためである。上記のように２倍以上の領域容積比に設定することで、第２放熱領域８の温度変化に対し、第１放熱領域７の温度変化を1/2以下に抑えることが可能になる。なお、対流等による熱損失を無視した場合、領域容積比が高くなるほど放熱による温度変化は小さくなるというように、領域容積比と温度変化とは反比例の関係を持つ。
【００１３】
前記放熱領域としてフロア１に設定している第１放熱領域７と第２放熱領域８のうち、第１放熱領域７は、図１に示すように、乗員の足の裏を置くフロア水平部１ａに設定している。第２放熱領域８は、図１に示すように、乗員のふくらはぎの後方で大腿の下方に位置するシート下側のフロア傾斜面１ｂに設定している。
なお、フロア１の形状が、フロア水平部１ａからシートクッション２の下側にて垂直に立ち上がっている場合には、フロア傾斜面１ｂに代え、フロア鉛直面に第２放熱領域８を設定しても良い。
【００１４】
前記第１放熱領域７は、図２に示すように、蛇行する第１放熱管５により構成され、前記第２放熱領域８は、図２に示すように、蛇行する第２放熱管６により構成される。そして、第１放熱管５の流水路断面積を、温水輸送管４と同じ径による第２放熱管６の流水路断面積よりも大きく設定することで、温水流路の領域容積を異ならせている。第１放熱管５は、図１に示すように、フロア水平部１ａに対し、熱伝導を促す伝熱体１１を介して接触させている。第２放熱管６は、図１に示すように、フロア傾斜面１ｂに対し、熱伝導を促す伝熱体１１を介して接触させている。なお、伝熱体１１としては、積層したアルミ泊やアルミプレート等の熱伝導率の高い素材によるプレート状やシート状の部材が用いられる。
【００１５】
前記第１放熱領域７と第２放熱領域８を構成する放熱管５，６には、エンジン冷却水である温水が、温水輸送管４を通して領域容積が小さい第２放熱管６へと流れ込み、第２放熱管６の出口から領域容積が大きい第１放熱管５へと流れ込み、第１放熱管５の出口からエンジン３へ戻る。すなわち、エンジン１からの温水を流す方向は、図２に示すように、領域容積が小さい第２放熱領域８に続いて領域容積が大きい第１放熱領域７の順となるように設定している。
【００１６】
次に、作用を説明する。
以下、実施例１の車両用温水床暖房装置における作用を、「エンジン始動時の即暖作用」、「走行停止時の保温作用」、「乗員の床暖房体感作用」、「走行状態の変化に対する温度変化作用」に分けて説明する。なお、図３は第１放熱領域７と第２放熱領域８に対し実施例１とは逆方向に温水を流した例であり、「エンジン始動時の即暖作用」と「走行停止時の保温作用」については、順方向に温水を流した場合と逆方向に温水を流した場合の作用差に基づき説明する。
【００１７】
［エンジン始動時の即暖作用］
図４は実施例１の車両用温水床暖房装置に対し順方向に温水を流した場合、エンジン始動時からの時間経過に対する２つの領域７，８の床面温度変化を示す温度変化特性図である。
【００１８】
実施例１の車両用温水床暖房装置に対し、図２に示すように、順方向に温水を流した場合、図４の時間０にてエンジン３を始動すると、図４の細点線特性に示すように、エンジン３から出た初期温水の温度が次第に上昇する。このため、エンジン３の直後に接続されている第２放熱領域８の温度は、図４の太点線特性に示すように、初期温水の温度上昇に準じて上昇する。しかし、第２放熱領域８の下流に設定されている第１放熱領域７は、第２放熱領域８よりも容積が大きい。このため、図４の実線特性に示すように、第１放熱領域７は、第２放熱領域８の温度上昇よりも遅れて温度が上昇する。
【００１９】
図５は実施例１の車両用温水床暖房装置に対し逆方向に温水を流した場合、エンジン始動時からの時間経過に対する２つの領域７，８の床面温度変化を示す温度変化特性図である。
実施例１の車両用温水床暖房装置に対し、図３に示すように、逆方向に温水を流した場合、既に低温の水が満たされた大きな容積を有する第１放熱領域７を先に通過する。このため、第１放熱領域７の温度上昇は、図５の実線特性に示すように、図５の細点線特性に示す初期温水温度の上昇よりも遅れる。そして、第１放熱領域７の下流に設定されている第２放熱領域８の温度上昇は、図５の太点線特性に示すように、第１放熱領域７の温度上昇に準じて遅れる。
【００２０】
すなわち、図４の温度特性と図５の温度特性の比較から明らかなように、実施例１のように、領域容積が大きい第１放熱領域７を、領域容積が小さい第２放熱領域８の下流に設け、温水を第２放熱管６から第１放熱管５へと順方向に流した場合にのみ、初期温水の温度上昇に準じて上昇する即暖性能を発揮することができる。
【００２１】
［走行停止時の保温作用］
図６は実施例１の車両用温水床暖房装置に対し順方向に温水を流した場合であって、走行によって十分にエンジン冷却水温が上昇した後、休憩等のために停車してエンジン３をアイドリング状態にした場合の２つの領域７，８の床面温度変化を示す温度変化特性図である。
実施例１の車両用温水床暖房装置に対し、図２に示すように、順方向に温水を流した場合、エンジン３をアイドリング状態にして走行停止（＝時間０）すると、図６の細点線特性に示すように、初期温水温度が低下する。この場合、上流に位置する領域容積の小さい第２放熱領域８の温度は、図６の太点線特性に示すように、急速に低下する。しかし、その下流に位置する領域容積の大きい第１放熱領域７の温度は、その容積に対して流入量が小さいため、図６の太点線特性に示すように、温度低下が緩やかとなる。
【００２２】
図７は実施例１の車両用温水床暖房装置に対し逆方向に温水を流した場合であって、走行によって十分にエンジン冷却水温が上昇した後、休憩等のために停車してエンジン３をアイドリング状態にした場合の２つの領域７，８の床面温度変化を示す温度変化特性図である。
実施例１の車両用温水床暖房装置に対し、図３に示すように、逆方向に温水を流した場合、上流の第１放熱領域７の温度低下は、図７の実線特性に示すように、その大きな容積によって初期温水の温度低下（図７の細点線特性）よりは遅れる。しかし、第１放熱領域７が第２放熱領域８の上流位置に配置されているため、順方向に流した場合よりも早い温度低下特性を示す。そして、第２放熱領域８も、第１放熱領域７の温度低下に準じて温度変化する。
【００２３】
すなわち、図７の温度特性に示すように、逆方向に流すと、第１放熱領域７と第２放熱領域８が共に中程度の温度低下特性を示す。しかし、図６の温度特性に示すように、順方向に流すと、第２放熱領域８の温度低下は速いものの、第１放熱領域７の温度低下が遅くなる。例えば、図６に示す時間taにて、第２放熱領域８の温度低下量をΔＴとすると、第１放熱領域７の温度低下量は0.5ΔＴ以下となり、保温効果が著しく上昇することがわかる。
【００２４】
［乗員の床暖房体感作用］
第１放熱領域７の特性は、暖まりにくく冷えにくく温度変化が緩やかである。一方、第２放熱領域８の特性は、暖まりやすく冷えやすく温度変化が急である。また、乗員の足は、直接暖めるために温度変化に対する感度が高く、乗員のふくらはぎは、輻射で暖めるために温度変化に対する感度が低い。
【００２５】
そこで、２つの放熱領域７，８の特性と乗員の温度感度特性を考慮し、温度変化が緩やかな第１放熱領域７を、温度感度が高い乗員の足を置く位置（フロア水平部１ａ）に設定し、温度変化が急である第２放熱領域８を、乗員の温度感度が低いふくらはぎの位置（フロア傾斜面１ｂ）に設定するという組み合わせを行った。
【００２６】
このように、第１放熱領域７と乗員の足の組み合わせ、第２放熱領域８と乗員のふくらはぎの組み合わせを行うことによって、２つの放熱領域７，８からの熱の影響を同時に受ける乗員は、エンジン３の始動時等にふくらはぎにより即暖を体感できるし、エンジン３のアイドル回転時やエンジン停止時等に足により保温を体感することができる。
【００２７】
一般に、人は２℃程度の温度変化があると温度が変化したことを体感できるが、２℃以下の温度変化があっても温度が変化したことをほとんど体感できない。したがって、第１放熱領域７の温度上昇は１℃以下でも、第２放熱領域８の温度上昇を２℃以上とすることによって、乗員は即暖を体感できる。また、第２放熱領域８の温度が２℃低下しても、第１放熱領域７の温度低下を１℃以下に抑えることで、乗員が温度低下を感じないで保温を体感できる。この結果、例えば、冬期でのエンジン始動時、車室内温度が上昇せずに低いままであってもエンジン始動の直後から足元からの暖かさを感じることができる。また、例えば、冬期でのエンジン停止後、エンジン停止から直ちに乗員が全身の冷え感を覚えることが抑制され、エンジン停止からしばらくの間は足元からの暖かさを感じることができる。
【００２８】
［走行状態の変化に対する温度変化作用］
図８はエンジン始動・登坂走行・アイドリング停車を含む実際の走行状況を模擬した場合に実施例１の車両用温水床暖房装置による即暖作用と保温作用を２つの領域７，８の温度変化により連続的に示した温度変化特性図である。
【００２９】
エンジン始動時には、エンジン３の直後に接続されている第２放熱領域８の温度が、図８の太点線特性に示すように、初期温水の温度上昇に準じて上昇するため、ふくらはぎが第２放熱領域８からの輻射熱で暖められ、即暖を体感することができる。
【００３０】
登坂走行時にも同様に、図８の太点線特性に示すように、第１放熱領域７の温度上昇勾配より高い勾配にて温度上昇するため、ふくらはぎが第２放熱領域８からの輻射熱で暖められ、即暖を体感することができる。
【００３１】
一方、アイドリング停車には、エンジン３の直後に接続されている第２放熱領域８の温度が、図８の太点線特性に示すように低下するものの、領域容積が大きい第１放熱領域７の温度低下が、図８の実線特性に示すように緩やかであるため、足を暖めた状態が第１放熱領域７により維持され、保温を体感することができる。
【００３２】
次に、効果を説明する。
実施例１の車両用温水床暖房装置にあっては、下記に列挙する効果を得ることができる。
【００３３】
(1) エンジン３の冷却水を利用した車両用温水床暖房装置において、放熱面に設定される温水流路の領域容積が異なる２つ以上の異なった第１放熱領域７と第２放熱領域８を備え、２つ以上の異なった第１放熱領域７と第２放熱領域８を水流的に直列に配列し、かつ、領域容積が大きい第１放熱領域７を、領域容積が小さい第２放熱領域８の下流位置に設けたため、エンジン冷却水温度が上昇したときの即暖効果とエンジン冷却水温度が低下したときの保温効果を併せて達成することができる。
【００３４】
(2) 前記下流の第１放熱領域７の領域容積は、前記上流の第２放熱領域８の領域容積に対し、２倍以上の領域容積比に設定したため、領域容積が大きい第１放熱領域７の温度変化量を、領域容積が小さい第２放熱領域８の温度変化量の1/2以下に抑えることができる。この結果、例えば、エンジン冷却水温が低下して領域容積が小さい第２放熱領域８にて人が温度変化を体感できるといわれる２℃の温度低下が生じても、領域容積が大きい第１放熱領域７での温度低下は１℃以下となり、温度低下を感じることがなく乗員全身の冷え感を抑制できる。
【００３５】
(3) 前記２つ以上の異なった放熱領域として、領域容積の大きい第１放熱領域７と、領域容積の小さい第２放熱領域８を設定し、前記第１放熱領域７は、足の裏を置くフロア水平部１ａに設定し、前記第２放熱領域８は、ふくらはぎの後方又は大腿の下方に位置するシート下側のフロア傾斜面１ｂに設定したため、エンジン停止時等により温水温度が低下しても、領域容積が大きい第１放熱領域７に接する足裏で感じる冷え感を遅くできる。一方、エンジン始動時等により温水温度が上昇した場合、領域容積が小さい第２放熱領域８によってふくらはぎに即暖効果を与えることができる。これらの相乗効果によって、体感的に暖まり易く冷えにくい暖房装置を提供することが可能となる。
【００３６】
(4) 前記２つ以上の異なった放熱領域７，８は、蛇行する放熱管５，６により構成され、前記下流の第１放熱領域７における第１放熱管５の流水路断面積を、上流の第２放熱領域８における第２放熱管６の流水路断面積よりも大きく設定したため、２つ以上の放熱領域において、その領域容積の調整を、構成的に簡単な流水路断面積の変更によって行うことができる。
【実施例２】
【００３７】
実施例２は、領域容積を増加させる構造として、同内径の共通放熱管に側路を設けるようにした例である。
【００３８】
まず、構成を説明する。
図９は実施例２の車両用温水床暖房装置を示す平面図である。
実施例２の車両用温水床暖房装置は、図９に示すように、エンジン３と、第１放熱領域７と、第２放熱領域８と、側路９と、共通放熱管１０と、を備えている。
【００３９】
前記第１放熱領域７と第２放熱領域８は、エンジン３からの温水輸送管を兼用すると共に蛇行する同一内径の共通放熱管１０により構成されている。そして、前記下流の第１放熱領域７における共通放熱管１０のみに側路９を設けている。この構成によって、前記下流の第１放熱領域７における共通放熱管１０と側路９の総流水路断面積を、上流の第２放熱領域８における共通放熱管１０の流水路断面積よりも大きく設定している。
なお、他の構成は、実施例１と同様であるので、図示並びに説明を省略する。また、作用については、実施例１と同様であるので、図示並びに説明を省略する。
【００４０】
次に、効果を説明する。
実施例２の車両用温水床暖房装置にあっては、実施例１の(1)〜(3)の効果に加え、下記の効果を得ることができる。
【００４１】
(5) 前記２つ以上の異なった放熱領域７，８は、エンジン３からの温水輸送管を兼用すると共に蛇行する同一内径の共通放熱管１０により構成され、前記下流の第１放熱領域における共通放熱管１０に側路９を設け、前記下流の第１放熱領域７における共通放熱管１０と側路９の総流水路断面積を、上流の第２放熱領域８における共通放熱管１０の流水路断面積よりも大きく設定したため、管径等、管路断面積が一定の共通放熱管１０により構成することができ、レイアウト設計の容易性を得ることができる。
【００４２】
以上、本発明の車両用温水床暖房装置を実施例１及び実施例２に基づき説明してきたが、具体的な構成については、これらの実施例に限られるものではなく、特許請求の範囲の各請求項に係る発明の要旨を逸脱しない限り、設計の変更や追加等は許容される。
【００４３】
実施例１，２では、領域容積が大きい第１放熱領域と、領域容積が小さい第２放熱領域の２つの領域容積が異なる放熱領域を備えた例を示した。しかし、領域容積が異なる放熱領域として、３以上の領域を備えたものであっても良い。この場合も、領域容積が最も小さい領域を最上流側に配置し、領域容積が大きくなる順に下流側に配置し、直列にて接続する。
【００４４】
実施例１では、フロア１の下に伝熱体１１を設定する例を示した。しかし、伝熱体１１を設定する部分のフロア１を切り欠き部または凹部とし、直接、伝熱体１１を表面に突出させても良く、その場合、伝熱体１１の上、または、フロア１の上にカーペットを設定しても良い。例えば、図１０に示すように、第１放熱管５の下側に熱の逃げを防ぐフロア凹部１ａを設定し、第１放熱管５の上側に伝熱体１１を接触状態で設定し、さらに、伝熱体１１の上側にカーペット１２を設定する。この場合、第１放熱管５からの熱の逃げを防止しながら、乗員の足裏に対し第１放熱管５からの熱を効果的に伝えることができる。
【００４５】
実施例１では、異径の放熱管により領域容積を異ならせる例を示し、実施例２では、同径の放熱管で側路を設けることで領域容積を異ならせる例を示した。しかし、例えば、同径の放熱管による蛇行密度を粗密にして領域容積を異ならせる例としても良い。また、放熱管として熱伝導特性が異なる管素材を用いることで領域容積を異ならせる例としても良い。さらに、これらの組み合わせにより領域容積を異ならせる例としても良い。
【００４６】
実施例１，２では、放熱面に設定される温水流路の領域容積が異なる例を示した。しかし、放熱面に設定される温水貯蔵容器の領域容積が異なる例としても良い。この温水貯蔵容器の場合、容器の大きさ設定や容器に付設した放熱フィン等の設定により、領域容積を異ならせるようにする。
【００４７】
実施例１，２では、車載熱源の冷却水として、エンジン冷却水を利用する例を示した。しかし、車載熱源の冷却水であれば、例えば、下記に例示するような冷却水を利用しても良い。また、エンジン冷却水を含めて複数の冷却水から状況に応じて冷却水を選択するようにしても良い。
・トランスミッション（車載熱源）の冷却水であるトランスミッション冷却水
・走行用モータ（車載熱源）の冷却水であるモータ冷却水
・走行用バッテリ（車載熱源）の冷却水であるバッテリ冷却水
・インバータ（車載熱源）の冷却水であるインバータ冷却水
要するに、放熱面に設定される温水流路又は温水貯蔵容器の領域容積が異なる２つ以上の異なった放熱領域を備え、２つ以上の異なった放熱領域を水流的に直列に配列し、かつ、領域容積が大きい放熱領域を、領域容積が小さい放熱領域の下流位置に設けたものであれば、具体的な構成は実施例１，２に限られることはない。
【産業上の利用可能性】
【００４８】
実施例１，２では、エンジン車への適用例を示したが、信号待ち等でエンジンを停止するアイドルストップ車や電気自動車走行モードでエンジンを停止するハイブリッド車等の温水床暖房装置としても勿論適用することができる。ちなみに、アイドルストップ車やハイブリッド車等のようにエンジン冷却水の温度変化の頻度が高い車両に適用する場合、エアコンユニットによる車室内暖房性能をエンジン停止時等に補完する補完暖房性能を得ることができる。要するに、車載熱源の冷却水を利用した車両用温水床暖房装置であれば適用することができる。
【図面の簡単な説明】
【００４９】
【図１】実施例１の車両用温水床暖房装置を示す側面図である。
【図２】実施例１の車両用温水床暖房装置を示す平面図である。
【図３】実施例１の車両用温水床暖房装置において第１放熱領域７と第２放熱領域８に対して図２とは逆方向に温水を流した例を示す平面図である。
【図４】実施例１の車両用温水床暖房装置に対し順方向に温水を流した場合、エンジン始動時からの時間経過に対する２つの領域７，８の床面温度変化を示す温度変化特性図である。
【図５】実施例１の車両用温水床暖房装置に対し逆方向に温水を流した場合、エンジン始動時からの時間経過に対する２つの領域７，８の床面温度変化を示す温度変化特性図である。
【図６】実施例１の車両用温水床暖房装置に対し順方向に温水を流した場合であって、走行によって十分にエンジン冷却水温が上昇した後、休憩等のために停車してエンジン３をアイドリング状態にした場合の２つの領域７，８の床面温度変化を示す温度変化特性図である。
【図７】実施例１の車両用温水床暖房装置に対し逆方向に温水を流した場合であって、走行によって十分にエンジン冷却水温が上昇した後、休憩等のために停車してエンジン３をアイドリング状態にした場合の２つの領域７，８の床面温度変化を示す温度変化特性図である。
【図８】エンジン始動・登坂走行・アイドリング停車を含む実際の走行状況を模擬した場合に実施例１の車両用温水床暖房装置による即暖作用と保温作用を２つの領域７，８の温度変化により連続的に示した温度変化特性図である。
【図９】実施例２の車両用温水床暖房装置を示す平面図である。
【図１０】本発明の車両用温水床暖房装置においてフロアの上に電熱体と放熱管を設定する場合の一例を示す断面図である。
【符号の説明】
【００５０】
１  フロア
２  シートクッション
３  エンジン（車載熱源）
４  温水輸送管
５  第１放熱管（領域容積が大きい放熱管）
６  第２放熱管（領域容積が小さい放熱管）
７  第１放熱領域（領域容積が大きい放熱領域）
８  第２放熱領域（領域容積が小さい放熱領域）
９  側路
１０  共通放熱管
１１  伝熱体
１２  カーペット
【図１】
0004985339.tif 000002
【図２】
0004985339.tif 000003
【図３】
0004985339.tif 000004
【図４】
0004985339.tif 000005
【図５】
0004985339.tif 000006
【図６】
0004985339.tif 000007
【図７】
0004985339.tif 000008
【図８】
0004985339.tif 000009
【図９】
0004985339.tif 000010
【図１０】
0004985339.tif 000011